(57)【要約】  本開示は、データ伝送方法および端末装置を提供する。前記データ伝送方法、外部装置通信プロトコルと３ＧＰＰネットワークプロトコルとのインターフェース情報を取得することと、前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することとを含む。
2022500958.tif 000002
【特許請求の範囲】
【請求項１】
端末装置のためのデータ伝送方法であって、
外部装置通信プロトコルと第３世代パートナーシッププロジェクト３ＧＰＰネットワークプロトコルとのインターフェース情報を取得することと、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することとを含む、ことを特徴とするデータ伝送方法。
【請求項２】
前記外部装置通信プロトコルは、
ワイヤレスフィデリティＷｉＦｉ通信プロトコルと、
ブルートゥースプロトコルと、
有線ＬＡＮ通信プロトコルとのいずれか一項を含む、ことを特徴とする請求項１に記載の方法。
【請求項３】
前記インターフェース情報は、
外部装置通信プロトコルの媒体アクセス制御ＭＡＣプロトコルデータユニットＰＤＵは、第１のネットワークプロトコルのパケットデータコンバージェンスプロトコルＰＤＣＰサービスデータユニットＳＤＵとして、データ送受信に使用されることと、
外部装置通信プロトコルのデータまたはデータストリームに対応する第１のネットワークプロトコルのデータラジオベアラＤＲＢ識別子と、
外部装置通信プロトコルのデータまたはデータストリームに対応する第１のネットワークプロトコルの進化型パッケージシステムＥＰＳベアラ識別子と、
外部装置通信プロトコルのデータまたはデータストリームに対応する第１のネットワークプロトコルのＰＤＣＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＭＡＣ層エンティティは、ＭＡＣ  ＰＤＵを第１のネットワークプロトコルスタックのＰＤＣＰ層エンティティに送信することと、および／または、
前記外部装置通信プロトコルスタックのＭＡＣ層エンティティは、第１のネットワークプロトコルスタックのＰＤＣＰ層エンティティによって送信されるＰＤＣＰ  ＳＤＵを受信することとを含む、ことを特徴とする請求項１または２に記載の方法。
【請求項４】
前記インターフェース情報は、
外部装置通信プロトコルの物理層ＰＨＹ  ＳＤＵ、またはＭＡＣ  ＰＤＵは、第１のネットワークプロトコルのＰＤＣＰ  ＳＤＵとしてデータ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、
外部装置通信プロトコルのデータまたはデータストリームに対応する第１のネットワークプロトコルのＰＤＣＰエンティティ識別子との少なくとも１つを含み、
前記インターフェース情報に従って、外部装置通信プロトコルスタックの第１のプロトコルエンティティは、３ＧＰＰネットワークプロトコルスタックの第２のプロトコルエンティティを介してデータを送受信することは、
前記外部装置通信プロトコルスタックのＰＨＹ層エンティティは、ＰＨＹ  ＳＤＵまたはＭＡＣ  ＰＤＵを第１のネットワークプロトコルスタックのＰＤＣＰ層エンティティに送信することと、および／または、
前記外部装置通信プロトコルスタックのＰＨＹ層エンティティは、第１のネットワークプロトコルスタックのＰＤＣＰ層エンティティによって送信されるＰＤＣＰ  ＳＤＵを受信することとを含む、ことを特徴とする請求項１または２に記載の方法。
【請求項５】
前記インターフェース情報は、
外部装置通信プロトコルのＭＡＣ  ＰＤＵは、第２のネットワークプロトコルのＳＤＡＰ  ＳＤＵとして、データ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのサービス品質ＱｏＳストリーム識別子と、
外部装置通信プロトコルのデータまたはデータストリームに対応する第２のネットワークプロトコルのＳＤＡＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＭＡＣ層エンティティは、ＭＡＣ  ＰＤＵを第２のネットワークプロトコルスタックのＳＤＡＰ層エンティティに送信することと、および／または、
前記外部装置通信プロトコルスタックのＭＡＣ層エンティティは、第２のネットワークプロトコルスタックのＳＤＡＰ層エンティティによって送信されるＳＤＡＰ  ＳＤＵを受信することとを含む、ことを特徴とする請求項１または２に記載の方法。
【請求項６】
前記インターフェース情報は、
外部装置通信プロトコルのＰＨＹ  ＳＤＵ、またはＭＡＣ  ＰＤＵは、第２のネットワークプロトコルのＳＤＡＰ  ＳＤＵとしてデータ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、外部装置通信プロトコルのデータまたはデータストリームに対応する第２のネットワークプロトコルのＳＤＡＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＰＨＹ層エンティティは、ＰＨＹ  ＳＤＵまたはＭＡＣ  ＰＤＵを第２のネットワークプロトコルスタックのＳＤＡＰ層エンティティに送信することと、および／または、
前記外部装置通信プロトコルスタックのＰＨＹ層エンティティは、第２のネットワークプロトコルスタックのＳＤＡＰ層エンティティによって送信されるＳＤＡＰ  ＳＤＵを受信することとを含む、ことを特徴とする請求項１または２に記載の方法。
【請求項７】
前記インターフェース情報は、
外部装置通信プロトコルのＩＰ  ＰＤＵは、第１のネットワークプロトコルのＰＤＣＰ  ＳＤＵとして、データ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、外部装置通信プロトコルのデータまたはデータストリームに対応する第１のネットワークプロトコルのＰＤＣＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＭＡＣ層エンティティは、ＭＡＣ  ＰＤＵを第１のネットワークプロトコルスタックのＰＤＣＰ層エンティティに送信することと、および／または、
前記外部装置通信プロトコルスタックのＩＰ層エンティティは、第１のネットワークプロトコルスタックのＰＤＣＰ層エンティティによって送信されるＰＤＣＰ  ＳＤＵを受信することとを含む、ことを特徴とする請求項１または２に記載の方法。
【請求項８】
前記インターフェース情報は、
外部装置通信プロトコルのヘッダ圧縮ＲＯＨＣ  ＳＤＵ、またはＩＰ  ＰＤＵは、第１のネットワークプロトコルのＰＤＣＰ  ＳＤＵとしてデータ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、外部装置通信プロトコルのデータまたはデータストリームに対応する第１のネットワークプロトコルのＰＤＣＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＲＯＨＣ層エンティティは、ＲＯＨＣ  ＳＤＵまたはＩＰ  ＰＤＵを第１のネットワークプロトコルスタックのＰＤＣＰ層エンティティに送信することと、および／または、
前記外部装置通信プロトコルスタックのＲＯＨＣ層エンティティは、第１のネットワークプロトコルスタックのＰＤＣＰ層エンティティによって送信されるＰＤＣＰ  ＳＤＵを受信することとを含む、ことを特徴とする請求項１または２に記載の方法。
【請求項９】
前記インターフェース情報は、
外部装置通信プロトコルのＩＰ  ＰＤＵは、第２のネットワークプロトコルのＳＤＡＰ  ＳＤＵとして、データ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、外部装置通信プロトコルのデータまたはデータストリームに対応する第２のネットワークプロトコルのＳＤＡＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＩＰ層エンティティは、ＩＰ  ＰＤＵを第２のネットワークプロトコルスタックのＳＤＡＰ層エンティティに送信することと、および／または、
前記外部装置通信プロトコルスタックのＩＰ層エンティティは、第２のネットワークプロトコルスタックのＳＤＡＰ層エンティティによって送信されるＳＤＡＰ  ＳＤＵを受信することとを含む、ことを特徴とする請求項１または２に記載の方法。
【請求項１０】
前記インターフェース情報は、
外部装置通信プロトコルのＲＯＨＣ  ＳＤＵ、またはＩＰ  ＰＤＵは、第２のネットワークプロトコルのＳＤＡＰ  ＳＤＵとしてデータ送受信用に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、
外部装置通信プロトコルのデータまたはデータストリームに対応する第２のネットワークプロトコルのＳＤＡＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＲＯＨＣ層エンティティは、ＲＯＨＣ  ＳＤＵまたはＩＰ  ＰＤＵを第２のネットワークプロトコルスタックのＳＤＡＰ層エンティティに送信することと、および／または、
前記外部装置通信プロトコルスタックのＲＯＨＣ層エンティティは、第２のネットワークプロトコルスタックのＳＤＡＰ層エンティティによって送信されるＳＤＡＰ  ＳＤＵを受信することとを含む、ことを特徴とする請求項１または２に記載の方法。
【請求項１１】
端末装置であって、
外部装置通信プロトコルと第３世代パートナーシッププロジェクト３ＧＰＰネットワークプロトコルとのインターフェース情報を取得するように構成される取得モジュールと、
前記端末装置の３ＧＰＰネットワークのエアインターフェースプロトコルスタックに対応するプロトコルエンティティである第２のプロトコルエンティティと、
前記端末装置の外部装置通信プロトコルスタックに対応するプロトコルエンティティであり、前記インターフェース情報に従って前記第２のプロトコルエンティティを介してデータを送受信するように構成される第１のプロトコルエンティティとを備える、ことを特徴とする端末装置。
【請求項１２】
前記外部装置通信プロトコルは、
ワイヤレスフィデリティＷｉＦｉ通信プロトコルと、
ブルートゥースプロトコルと、
有線ＬＡＮ通信プロトコルとのいずれか一項を含む、ことを特徴とする請求項１１に記載の端末装置。
【請求項１３】
プロセッサ、メモリ、および前記メモリに格納され前記プロセッサ上で実行されるコンピュータプログラムを備える端末装置であって、前記コンピュータプログラムは前記プロセッサによって実行されると、請求項１乃至１０のいずれか１項に記載のデータ伝送方法のステップを実施する、ことを特徴とする端末装置。
【請求項１４】
コンピュータプログラムが記憶されてあるコンピュータ可読記憶媒体であって、前記コンピュータプログラムはプロセッサによって実行されると、請求項１乃至１０のいずれか１項に記載のデータ伝送方法のステップを実施する、ことを特徴とするコンピュータ可読記憶媒体。
【発明の詳細な説明】
【技術分野】
【０００１】
本開示は、通信技術の分野、特にデータ伝送方法および端末装置に関する。
【背景技術】
【０００２】
（関連出願の相互参照）
本出願は、２０１８年９月２１日に中国で提出された中国特許出願第２０１８１１１０９８６１．８号の優先権を主張し、その全内容は参照によりここに援用される。
関連技術におけるプロトコルスタックでは、データ伝送は、隣接するプロトコルレイヤのインタラクションで行われる。たとえば、インターネットプロトコル（Ｉｎｔｅｒｎｅｔ  Ｐｒｏｔｏｃｏｌ、ＩＰ）層エンティティが媒体アクセス制御（Ｍｅｄｉｕｍ  Ａｃｃｅｓｓ  Ｃｏｎｔｒｏｌ、ＭＡＣ）層エンティティとインタラクションする場合、ＩＰ層エンティティからＭＡＣ層エンティティに送信されるデータパケットは、具体的にはＩＰ層エンティティによって生成されるデータパケットであり、ＩＰプロトコルデータユニット（Ｐｒｏｔｏｃｏｌ  Ｄａｔａ  Ｕｎｉｔ、ＰＤＵ）と呼ばれるが、ＭＡＣ層エンティティによって受信される上位層からのデータパケットはＭＡＣサービスデータユニット（Ｓｅｒｖｉｃｅ  Ｄａｔａ  Ｕｎｉｔ、ＳＤＵ）である。
【０００３】
第３世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ、３ＧＰＰ）ネットワークプロトコルには、少なくとも４Ｇのロング・ターム・エヴォリューション（Ｌｏｎｇ  Ｔｅｒｍ  Ｅｖｏｌｕｔｉｏｎ、ＬＴＥ）ネットワークプロトコルと５Ｇのア新しいエアインターフェース（Ｎｅｗ  ＲＡＴ、ＮＲ）ネットワークプロトコルが含まれる。その中には、ユーザ装置（Ｕｓｅｒ  Ｅｑｕｉｐｍｅｎｔ、ＵＥ）などの端末装置の４Ｇ  ＬＴＥプロトコルスタックには、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層、無線リンク制御（Ｒａｄｉｏ  Ｌｉｎｋ  Ｃｏｎｔｒｏｌ、ＲＬＣ）層、ＭＡＣ層および物理（Ｐｈｙｓｉｃａｌ、ＰＨＹ）層が含まれてもよいが、ＵＥの５Ｇ  ＮＲプロトコルスタックには、サービスデータ適応プロトコル（Ｓｅｒｖｉｃｅ  Ｄａｔａ  Ａｄａｐｔａｔｉｏｎ  Ｐｒｏｔｏｃｏｌ、ＳＤＡＰ）層、ＰＤＣＰ層、ＲＬＣ層、ＭＡＣ層、およびＰＨＹ層が含まれてもよい。
【０００４】
ＵＥがワイヤレスフィデリティ（Ｗｉｒｅｌｅｓｓ  Ｆｉｄｅｌｉｔｙ、ＷｉＦｉ）、ブルートゥース（登録商標）、または有線ＬＡＮ（ＩＥＥＥ  ８０２．３など）を介して外部装置と通信する場合、サービス需要に基づいて、ＷｉＦｉ、ブルートゥース、有線ＬＡＮなどのネットワークノードがＵＥの３ＧＰＰネットワークを介して他のネットワークノードと通信する必要がある場合がある。しかし、この３ＧＰＰネットワークを介した通信の需要に対して、関連する通信サービスの円滑な進行を確保するために、データ伝送の実行を明確にするための方法は関連技術にない。
【発明の概要】
【発明が解決しようとする課題】
【０００５】
本開示の実施形態は、ＷｉＦｉ、ブルートゥース、または有線ＬＡＮなどのネットワークノードが、端末装置の３ＧＰＰネットワークを介して他のネットワークノードと通信するとき、データ伝送の実行方法がまた明確でないという問題を解決するためのデータ伝送方法および端末装置を提供する。
【０００６】
第１の態様では、本開示の実施形態は、データ伝送方法を提供し、当該方法は、
外部装置通信プロトコルと３ＧＰＰネットワークプロトコルとのインターフェース情報を取得することと、
前記インターフェース情報に従って、外部装置通信プロトコルスタックの第１のプロトコルエンティティは、３ＧＰＰネットワークプロトコルスタックの第２のプロトコルエンティティを介してデータを送受信することとを含む。
【０００７】
第２の態様では、本開示の実施形態は、端末装置を提供し、当該端末装置は、
外部装置通信プロトコルと３ＧＰＰネットワークプロトコルとのインターフェース情報を取得する取得モジュールと、
前記端末装置の３ＧＰＰネットワークプロトコルスタックに対応するプロトコルエンティティである第２のプロトコルエンティティと、
前記端末装置の外部装置通信プロトコルスタックに対応するプロトコルエンティティであり、前記インターフェース情報に従って前記第２のプロトコルエンティティを介してデータを送受信する第１のプロトコルエンティティとを備える。
【０００８】
第３の態様では、本開示の実施形態はまた、メモリ、プロセッサ、および前記メモリに格納され前記プロセッサ上で実行されるコンピュータプログラムを備える端末装置を提供し、前記コンピュータプログラムは前記プロセッサによって実行されると、上記のデータ伝送方法のステップを実施する。
【０００９】
第４の態様では、本開示の実施形態はまた、コンピュータプログラムが記憶されてあるコンピュータ可読記憶媒体を提供し、前記コンピュータプログラムはプロセッサによって実行されると、上記のデータ伝送方法のステップを実施する。
【００１０】
本開示の実施形態では、取得された外部装置通信プロトコルと３ＧＰＰネットワークプロトコルとのインターフェース情報に従って、端末装置の外部装置通信プロトコルスタックの第１のプロトコルエンティティは、３ＧＰＰネットワークのエアインターフェースプロトコルスタックの第２のプロトコルエンティティを介してデータを送受信することで、外部装置通信プロトコルスタックと３ＧＰＰネットワークのエアインターフェースプロトコルスタックとの間のインタラクションを実現できるので、ＷｉＦｉ、ブルートゥース、或いは有線ＬＡＮなどのネットワークノードが端末装置の３ＧＰＰネットワークを介して他のネットワークノードと通信するとき、データ伝送の需要を満足させ、関連する通信サービスの円滑な進行を確保することができる。
【００１１】
本開示の実施形態の技術案をより明確に説明するために、以下に、本開示の実施形態に使用される添付の図面を簡単に紹介する。明らかに、以下に説明される図面は、本開示のいくつかの実施形態にすぎない。当業者は、これらの図面に基づいて、創造的な労働をかけずに他の図面を取得することができる。
【図面の簡単な説明】
【００１２】
【図１】本開示の実施形態によるデータ伝送方法のフローチャートである。
【図２】本開示の実施形態による端末装置のプロトコルスタックの模式図１である。
【図３】本開示の実施形態による端末装置のプロトコルスタックの模式図２である。
【図４】本開示の実施形態による端末装置のプロトコルスタックの模式図３である。
【図５】本開示の実施形態による端末装置のプロトコルスタックの模式図４である。
【図６】本開示の実施形態による端末装置のプロトコルスタックの模式図５である。
【図７】本開示の実施形態による端末装置のプロトコルスタックの模式図６である。
【図８】本開示の実施形態による端末装置のプロトコルスタックの模式図７である。
【図９】本開示の実施形態による端末装置のプロトコルスタックの模式図８である。
【図１０】本開示の実施形態による端末装置の構造図１である。
【図１１】本開示の実施形態による端末装置の構造図２である。
【発明を実施するための形態】
【００１３】
本開示の実施形態の技術案をより明確に説明するために、以下に、本開示の実施形態に使用される添付の図面を簡単に紹介する。明らかに、以下に説明される図面は、本開示のいくつかの実施形態にすぎない。当業者は、これらの図面に基づいて、創造的な労働をかけずに他の図面を取得することができる。
【００１４】
まず、本開示の実施形態では、端末装置と外部装置とが物理的レベルで接続されていることを説明する。図２に示すように、端末装置のＰＨＹ層と外部装置のＰＨＹ層との間でデータ伝送を行うことができる。実装の観点から、外部装置は、端末装置に接続されてもよく、端末装置に接続されなくてもよく、または端末装置に集積されてもよいが、本開示の実施形態ではこれを限定しない。
【００１５】
ここで、端末装置と外部装置は、外部装置通信プロトコルに基づいて通信することができ、端末装置と外部装置との通信のプロトコルエンティティは、外部装置通信プロトコルスタックに対応するプロトコルエンティティである。上記の外部装置通信プロトコルは、
ＩＥＥＥ８０２．１１などのＷｉＦｉ通信プロトコルと、
ブルートゥースプロトコルと、
ＩＥＥＥ８０２．３などの有線ＬＡＮ通信プロトコルとのいずれかを含んでもよい。
【００１６】
本開示は、実施形態および添付の図面と併せて以下に詳細に説明される。
【００１７】
図１を参照する。本開示の実施形態は端末装置のためのデータ伝送方法を提供し、前記方法は以下のステップを含む。
【００１８】
ステップ１０１：外部装置通信プロトコルと３ＧＰＰネットワークプロトコルとのインターフェース情報を取得する。
【００１９】
ここで、上記のインターフェース情報は、ネットワーク側によって設定されてもよいか、またはプロトコルによって合意されてもよい。上記の３ＧＰＰネットワークプロトコルは、４Ｇネットワークプロトコル、５Ｇネットワークプロトコル、または６Ｇネットワークプロトコルなどとして理解されてよい。
【００２０】
ステップ１０２：前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信する。
【００２１】
上記の３ＧＰＰネットワークのエアインターフェースプロトコルスタックは、４Ｇ  ＬＴＥプロトコルスタックまたは５Ｇ  ＮＲプロトコルスタックであってもよいことは理解される。
【００２２】
本開示の実施形態では、取得された外部装置通信プロトコルと３ＧＰＰネットワークプロトコルとのインターフェース情報に従って、端末装置の外部装置通信プロトコルスタックの第１のプロトコルエンティティは、３ＧＰＰネットワークのエアインターフェースプロトコルスタックの第２のプロトコルエンティティを介してデータを送受信することで、外部装置通信プロトコルスタックと３ＧＰＰネットワークのエアインターフェースプロトコルスタックとの間のインターアクションを実現できるので、ＷｉＦｉ、ブルートゥース、或いは有線ＬＡＮなどのネットワークノードが端末装置の３ＧＰＰネットワークを介して他のネットワークノードと通信するとき、データ伝送の需要を満足させ、関連する通信サービスの円滑な進行を確保することができる。
【００２３】
本開示の特定の実施形態では、図２に示されるプロトコルスタックの下で、オプションで、上記のインターフェース情報は、
外部装置通信プロトコルのＭＡＣ  ＰＤＵは、第１のネットワークプロトコルのＰＤＣＰ  ＳＤＵとして、データ送受信に使用されることと、
外部装置通信プロトコルのデータ（たとえば、すべてのデータ）またはデータストリーム（たとえば、一部のデータ）に対応する第１のネットワークプロトコルのデータ無線ベアラ（Ｄａｔａ  Ｒａｄｉｏ  Ｂｅａｒｅｒ、ＤＲＢ）識別子と、
外部装置通信プロトコルのデータ（たとえば、すべてのデータ）またはデータストリーム（たとえば、一部のデータ）に対応する第１のネットワークプロトコルの進化したパケットシステム（Ｅｖｏｌｖｅｄ  Ｐａｃｋｅｔ  Ｓｙｓｔｅｍ、ＥＰＳ）ベアラ識別子と、
外部装置通信プロトコルのデータ（たとえば、すべてのデータ）またはデータストリーム（たとえば、一部のなデータ）に対応する第１のネットワークプロトコルのＰＤＣＰエンティティ識別子との少なくとも１つを含んでもよい。
【００２４】
ここで、第１のネットワークプロトコルは４Ｇ  ＬＴＥプロトコルとして理解されてよく、第１のネットワークプロトコルスタックは４Ｇ  ＬＴＥプロトコルスタックとして理解されてよい。図２に示すように、第１のネットワークプロトコルスタックには、ＰＤＣＰ層、ＲＬＣ層、ＭＡＣ層、およびＰＨＹ層が含まれてもよい。外部装置通信プロトコルスタックには、ＭＡＣ層とＰＨＹ層が含まれてもよい。また、外部装置通信プロトコルスタックのＭＡＣ層エンティティは、第１のネットワークプロトコルスタックのＰＤＣＰ層エンティティとインタラクションを行ってもよい。つまり、第１のネットワークプロトコルスタックのＰＤＣＰ層エンティティを介してデータを送受信する。
【００２５】
さらに、図２に示されるように、上記のステップ１０２は、
外部装置通信プロトコルスタックのＭＡＣ層エンティティは、第１のネットワークプロトコルスタックのＰＤＣＰ層エンティティのＰＤＣＰ  ＳＤＵとしてＭＡＣ  ＰＤＵを第１のネットワークプロトコルスタックのＰＤＣＰ層エンティティに送信することと、
および／または、外部装置通信プロトコルスタックのＭＡＣ層エンティティは、外部装置通信プロトコルスタックのＭＡＣ層エンティティのＭＡＣ  ＰＤＵとして第１のネットワークプロトコルスタックのＰＤＣＰ層エンティティによって送信されるＰＤＣＰ  ＳＤＵを受信することとを含くんでもよい。
【００２６】
このようにして、外部装置のＭＡＣ  ＰＤＵを第１のネットワークプロトコルスタックを介して送信することを実現できる。
【００２７】
たとえば、図２に示すように、第１のネットワークプロトコルスタックがＬＴＥプロトコルスタックである場合、ＬＴＥプロトコルスタックを介してデータを送信するプロセスは、
Ｓ１：外部装置通信プロトコルスタックのＰＨＹ層エンティティは、外部装置通信プロトコルスタックのＭＡＣ層エンティティのＭＡＣ  ＰＤＵとして、ＰＨＹ  ＳＤＵを外部装置通信プロトコルスタックのＭＡＣ層エンティティに送信することと、
Ｓ２：外部装置通信プロトコルスタックのＭＡＣ層エンティティは、ＬＴＥプロトコルスタックのＰＤＣＰ層エンティティのＰＤＣＰ  ＳＤＵとして、ＭＡＣ  ＰＤＵをＬＴＥプロトコルスタックのＰＤＣＰ層エンティティに送信することとなってもよい。
【００２８】
ＬＴＥプロトコルスタックを介してデータを受信するプロセスは、
Ｓ１：外部装置通信プロトコルスタックのＭＡＣ層エンティティは、外部装置通信プロトコルスタックのＭＡＣ層エンティティのＭＡＣ  ＰＤＵとして、ＬＴＥプロトコルスタックのＰＤＣＰ層エンティティによって送信されるＰＤＣＰ  ＳＤＵを受信することと、
Ｓ２：外部装置通信プロトコルスタックのＭＡＣ層エンティティは、外部装置通信プロトコルスタックのＰＨＹ層エンティティのＰＨＹ  ＳＤＵとして、外部装置通信プロトコルスタックのＰＨＹ層エンティティにＭＡＣ  ＰＤＵを送信することとなってもよい。
【００２９】
本開示の特定の実施形態では、図３に示されるプロトコルスタックの下で、オプションで、上記のインターフェース情報は、
外部装置通信プロトコルのＰＨＹ  ＳＤＵ、またはＭＡＣ  ＰＤＵは、第１のネットワークプロトコルのＰＤＣＰ  ＳＤＵとしてデータ送受信に使用されることと、
外部装置通信プロトコルのデータ（たとえば、すべてのデータ）またはデータストリーム（たとえば、一部のデータ）に対応する第１のネットワークプロトコルのＤＲＢ識別子と、
外部装置通信プロトコルのデータ（たとえば、すべてのデータ）またはデータストリーム（たとえば、一部のデータ）に対応する第１のネットワークプロトコルのＥＰＳベアラ識別子と、
外部装置通信プロトコルのデータ（たとえば、すべてのデータ）またはデータストリーム（たとえば、一部のなデータ）に対応する第１のネットワークプロトコルのＰＤＣＰエンティティ識別子との少なくとも１つを含んでもよい。
【００３０】
ここで、第１のネットワークプロトコルは４Ｇ  ＬＴＥプロトコルとして理解されてよく、第１のネットワークプロトコルスタックは４Ｇ  ＬＴＥプロトコルスタックとして理解されてよい。図３に示すように、第１のネットワークプロトコルスタックには、ＰＤＣＰ層、ＲＬＣ層、ＭＡＣ層、およびＰＨＹ層が含まれてもよい。外部装置通信プロトコルスタックには、ＭＡＣ層とＰＨＹ層が含まれてもよい。また、外部装置通信プロトコルスタックのＰＨＹ層エンティティは、第１のネットワークプロトコルスタックのＰＤＣＰ層エンティティとインタラクションを行ってもよい。つまり、第１のネットワークプロトコルスタックのＰＤＣＰ層エンティティを介してデータを送受信する。
【００３１】
さらに、図３に示されるように、上記のステップ１０２は、
外部装置通信プロトコルスタックのＰＨＹ層エンティティは、第１のネットワークプロトコルスタックのＰＤＣＰ層エンティティのＰＤＣＰ  ＳＤＵとして、ＰＨＹ  ＳＤＵ或いはＭＡＣ  ＰＤＵを第１のネットワークプロトコルスタックのＰＤＣＰ層エンティティに送信することと、
および／または、外部装置通信プロトコルスタックのＰＨＹ層エンティティは、外部装置通信プロトコルスタックのＰＨＹ層エンティティのＰＨＹ  ＳＤＵ  或いはＭＡＣＰＤＵ  として、第１のネットワークプロトコルスタックのＰＤＣＰ層エンティティによって送信されるＰＤＣＰ  ＳＤＵを受信することとを含くんでもよい。
【００３２】
このようにして、外部装置のＰＨＹ  ＳＤＵを第１のネットワークプロトコルスタックを介して送信することを実現できる。
【００３３】
たとえば、図３に示すように、第１のネットワークプロトコルスタックがＬＴＥプロトコルスタックである場合、ＬＴＥプロトコルスタックを介してデータを送信するプロセスは、
外部装置通信プロトコルスタックのＰＨＹ層エンティティは、ＬＴＥプロトコルスタックのＰＤＣＰ層エンティティのＰＤＣＰ  ＳＤＵとして、ＰＨＹ  ＳＤＵ或いはＭＡＣ  ＰＤＵをＬＴＥプロトコルスタックのＰＤＣＰ層エンティティに送信することとなってもよい。
【００３４】
ＬＴＥプロトコルスタックを介してデータを受信するプロセスは、
外部装置通信プロトコルスタックのＰＨＹ層エンティティは、外部装置通信プロトコルスタックのＰＨＹ層エンティティのＰＨＹ  ＳＤＵ或いはＭＡＣ  ＰＤＵとして、ＬＴＥプロトコルスタックのＰＤＣＰ層エンティティによって送信されるＰＤＣＰ  ＳＤＵを受信することとなってもよい。
【００３５】
本開示の特定の実施形態では、図４に示されるプロトコルスタックの下で、オプションで、上記のインターフェース情報は、
外部装置通信プロトコルのＭＡＣ  ＰＤＵは、第２のネットワークプロトコルのＳＤＡＰ  ＳＤＵとして、データ送受信に使用されることと、
外部装置通信プロトコルのデータ（たとえば、すべてのデータ）またはデータストリーム（たとえば、一部のデータ）に対応する第２のネットワークプロトコルのＤＲＢ識別子と、
外部装置通信プロトコルのデータ（たとえば、すべてのデータ）またはデータストリーム（たとえば、一部のデータ）に対応する第２のネットワークプロトコルのＰＤＵセッション識別子と、
外部装置通信プロトコルのデータ（たとえば、すべてのデータ）またはデータストリーム（たとえば、一部のデータ）に対応する第２のネットワークプロトコルのサービス品質（Ｑｕａｌｉｔｙ  ｏｆ  Ｓｅｒｖｉｃｅ、ＱｏＳ）ストリーム識別子と、
外部装置通信プロトコルのデータ（たとえば、すべてのデータ）またはデータストリーム（たとえば、一部のデータ）に対応する第２のネットワークプロトコルのＳＤＡＰエンティティ識別子との少なくとも１つを含んでもよい。
【００３６】
ここで、第２のネットワークプロトコルは５Ｇ  ＮＲプロトコルとして理解されてよく、第２のネットワークプロトコルスタックは５Ｇ  ＮＲプロトコルスタックとして理解されてよい。図４に示すように、第２のネットワークプロトコルスタックには、ＳＤＡＰ層、ＰＤＣＰ層、ＲＬＣ層、ＭＡＣ層、およびＰＨＹ層が含まれてもよい。外部装置通信プロトコルスタックには、ＭＡＣ層とＰＨＹ層が含まれてもよい。また、外部装置通信プロトコルスタックのＭＡＣ層エンティティは、第２のネットワークプロトコルスタックのＳＤＡＰ層エンティティとインタラクションを行ってもよい。つまり、第２のネットワークプロトコルスタックのＳＤＡＰ層エンティティを介してデータを送受信する。
【００３７】
さらに、図４に示されるように、上記のステップ１０２は、
外部装置通信プロトコルスタックのＭＡＣ層エンティティは、第２のネットワークプロトコルスタックのＳＤＡＰ層エンティティのＳＤＡＰ  ＳＤＵとしてＭＡＣ  ＰＤＵを第２のネットワークプロトコルスタックのＳＤＡＰ層エンティティに送信することと、
および／または、外部装置通信プロトコルスタックのＭＡＣ層エンティティは、外部装置通信プロトコルスタックのＭＡＣ層エンティティのＭＡＣ  ＰＤＵとして第２のネットワークプロトコルスタックのＳＤＡＰ層エンティティによって送信されるＳＤＡＰ  ＳＤＵを受信することとを含くんでもよい。
【００３８】
このようにして、外部装置のＭＡＣ  ＰＤＵを第２のネットワークプロトコルスタックを介して送信することを実現できる。
【００３９】
たとえば、図４に示すように、第２のネットワークプロトコルスタックがＮＲプロトコルスタックである場合、ＮＲプロトコルスタックを介してデータを送信するプロセスは、
Ｓ１：外部装置通信プロトコルスタックのＰＨＹ層エンティティは、外部装置通信プロトコルスタックのＭＡＣ層エンティティのＭＡＣ  ＰＤＵとして、ＰＨＹ  ＳＤＵを外部装置通信プロトコルスタックのＭＡＣ層エンティティに送信することと、
Ｓ２：外部装置通信プロトコルスタックのＭＡＣ層エンティティは、ＮＲプロトコルスタックのＳＤＡＰ層エンティティのＳＤＡＰ  ＳＤＵとして、ＭＡＣ  ＰＤＵをＮＲプロトコルスタックのＳＤＡＰ層エンティティに送信することとなってもよい。
【００４０】
ＮＲプロトコルスタックを介してデータを受信するプロセスは、
Ｓ１：外部装置通信プロトコルスタックのＭＡＣ層エンティティは、外部装置通信プロトコルスタックのＭＡＣ層エンティティのＭＡＣ  ＰＤＵとして、ＮＲプロトコルスタックのＳＤＡＰ層エンティティによって送信されるＳＤＡＰ  ＳＤＵを受信することと、
Ｓ２：外部装置通信プロトコルスタックのＭＡＣ層エンティティは、外部装置通信プロトコルスタックのＰＨＹ層エンティティのＰＨＹ  ＳＤＵとして、外部装置通信プロトコルスタックのＰＨＹ層エンティティにＭＡＣ  ＰＤＵを送信することとなってもよい。
【００４１】
本開示の特定の実施形態では、図５に示されるプロトコルスタックの下で、オプションで、上記のインターフェース情報は、
外部装置通信プロトコルのＰＨＹ  ＳＤＵ、またはＭＡＣ  ＰＤＵは、第２のネットワークプロトコルのＳＤＡＰ  ＳＤＵとしてデータ送受信に使用されることと、
外部装置通信プロトコルのデータ（たとえば、すべてのデータ）またはデータストリーム（たとえば、一部のデータ）に対応する第２のネットワークプロトコルのＤＲＢ識別子と、
外部装置通信プロトコルのデータ（たとえば、すべてのデータ）またはデータストリーム（たとえば、一部のデータ）に対応する第２のネットワークプロトコルのＰＤＵセッション識別子と、
外部装置通信プロトコルのデータ（たとえば、すべてのデータ）またはデータストリーム（たとえば、一部のデータ）に対応する第２のネットワークプロトコルのＱｏＳストリーム識別子と、
外部装置通信プロトコルのデータ（たとえば、すべてのデータ）またはデータストリーム（たとえば、一部のデータ）に対応する第２のネットワークプロトコルのＳＤＡＰエンティティ識別子との少なくとも１つを含んでもよい。
【００４２】
ここで、第２のネットワークプロトコルは５ＧＮＲプロトコルとして理解されてよく、第２のネットワークプロトコルスタックは５ＧＮＲプロトコルスタックとして理解されてよい。図５に示すように、第２のネットワークプロトコルスタックには、ＳＤＡＰ層、ＰＤＣＰ層、ＲＬＣ層、ＭＡＣ層、およびＰＨＹ層が含まれてもよい。外部装置通信プロトコルスタックには、ＭＡＣ層とＰＨＹ層が含まれてもよい。また、外部装置通信プロトコルスタックのＰＨＹ層エンティティは、第２のネットワークプロトコルスタックのＳＤＡＰ層エンティティとインタラクションを行ってもよい。つまり、第２のネットワークプロトコルスタックのＳＤＡＰ層エンティティを介してデータを送受信する。
【００４３】
さらに、図５に示されるように、上記のステップ１０２は、
外部装置通信プロトコルスタックのＰＨＹ層エンティティは、第２のネットワークプロトコルスタックのＳＤＡＰ層エンティティのＳＤＡＰ  ＳＤＵとして、ＰＨＹ  ＳＤＵ或いはＭＡＣ  ＰＤＵを第２のネットワークプロトコルスタックのＳＤＡＰ層エンティティに送信することと、
および／または、外部装置通信プロトコルスタックのＰＨＹ層エンティティは、外部装置通信プロトコルスタックのＰＨＹ層エンティティのＰＨＹ  ＳＤＵ或いはＭＡＣ  ＰＤＵとして第２のネットワークプロトコルスタックのＳＤＡＰ層エンティティによって送信されるＳＤＡＰ  ＳＤＵを受信することとを含くんでもよい。
【００４４】
このようにして、外部装置ＰＨＹ  ＳＤＵを第２のネットワークプロトコルスタックを介して送信することを実現できる。
【００４５】
たとえば、図５に示すように、第２のネットワークプロトコルスタックがＮＲプロトコルスタックである場合、ＮＲプロトコルスタックを介してデータを送信するプロセスは、
外部装置通信プロトコルスタックのＰＨＹ層エンティティは、ＮＲプロトコルスタックのＳＤＡＰ層エンティティのＳＤＡＰ  ＳＤＵとして、ＰＨＹ  ＳＤＵ或いはＭＡＣ  ＰＤＵをＮＲプロトコルスタックのＳＤＡＰ層エンティティに送信することとなってもよい。
【００４６】
ＮＲプロトコルスタックを介してデータを受信するプロセスは、
外部装置通信プロトコルスタックのＰＨＹ層エンティティは、外部装置通信プロトコルスタックのＰＨＹ層エンティティのＰＨＹ  ＳＤＵ或いはＭＡＣ  ＰＤＵとして、ＮＲプロトコルスタックのＳＤＡＰ層エンティティによって送信されるＳＤＡＰ  ＳＤＵを受信することとなってもよい。
【００４７】
本開示の特定の実施形態では、図６に示されるプロトコルスタックの下で、オプションで、上記のインターフェース情報は、
外部装置通信プロトコルのＩＰ  ＰＤＵは、第１のネットワークプロトコルのＰＤＣＰ  ＳＤＵとして、データ送受信に使用されることと、
外部装置通信プロトコルのデータ（たとえば、すべてのデータ）またはデータストリーム（たとえば、一部のデータ）に対応する第１のネットワークプロトコルのＤＲＢ識別子と、
外部装置通信プロトコルのデータ（たとえば、すべてのデータ）またはデータストリーム（たとえば、一部のデータ）に対応する第１のネットワークプロトコルのＥＰＳベアラ識別子と、
外部装置通信プロトコルのデータ（たとえば、すべてのデータ）またはデータストリーム（たとえば、一部のなデータ）に対応する第１のネットワークプロトコルのＰＤＣＰエンティティ識別子との少なくとも１つを含んでもよい。
【００４８】
ここで、第１のネットワークプロトコルは４Ｇ  ＬＴＥプロトコルとして理解されてよく、第１のネットワークプロトコルスタックは４Ｇ  ＬＴＥプロトコルスタックとして理解されてよい。図６に示すように、第１のネットワークプロトコルスタックには、ＰＤＣＰ層、ＲＬＣ層、ＭＡＣ層、およびＰＨＹ層が含まれてもよい。外部装置通信プロトコルスタックには、ＩＰ層、ロバストヘッダ圧縮（Ｒｏｂｕｓｔ  Ｈｅａｄｅｒ  Ｃｏｍｐｒｅｓｓｉｏｎ、ＲＯＨＣ）層、ＭＡＣ層、およびＰＨＹが含まれてもよい。  つまり、ＲＯＨＣ層はＩＰ層とＭＡＣ層の間に導入される。外部装置通信プロトコルスタックのＩＰ層エンティティは、第１のネットワークプロトコルスタックのＰＤＣＰ層エンティティとインタラクションを行い、つまり第１のネットワークプロトコルスタックのＰＤＣＰ層エンティティを介してデータを送受信する。
【００４９】
さらに、図６に示されるように、上記のステップ１０２は、
外部装置通信プロトコルスタックのＩＰ層エンティティは、第１のネットワークプロトコルスタックのＰＤＣＰ層エンティティのＰＤＣＰ  ＳＤＵとしてＩＰ  ＰＤＵを第１のネットワークプロトコルスタックのＰＤＣＰ層エンティティに送信することと、
および／または、外部装置通信プロトコルスタックのＩＰ層エンティティは、外部装置通信プロトコルスタックのＩＰ層エンティティのＩＰ  ＰＤＵとして第１のネットワークプロトコルスタックのＰＤＣＰ層エンティティによって送信されるＰＤＣＰ  ＳＤＵを受信することとを含くんでもよい。
【００５０】
このようにして、外部装置ＩＰ  ＰＤＵを第１のネットワークプロトコルスタックを介して送信される。ＩＰ層とＭＡＣ層の間にＲＯＨＣ層を導入することで、ＲＯＨＣ層エンティティを圧縮または解凍した後のデータパケットを３ＧＰＰネットワークエアインターフェースプロトコルスタックを介して伝送できる。
【００５１】
たとえば、図６に示すように、第１のネットワークプロトコルスタックがＬＴＥプロトコルスタックである場合、ＬＴＥプロトコルスタックを介してデータを送信するプロセスは、
Ｓ１：外部装置通信プロトコルスタックのＰＨＹ層エンティティは、外部装置通信プロトコルスタックのＭＡＣ層エンティティのＭＡＣ  ＰＤＵとして、ＰＨＹ  ＳＤＵを外部装置通信プロトコルスタックのＭＡＣ層エンティティに送信することと、
Ｓ２：外部装置通信プロトコルスタックのＭＡＣ層エンティティは、外部装置通信プロトコルスタックのＲＯＨＣ層エンティティのＲＯＨＣ  ＰＤＵとして、ＭＡＣ  ＳＤＵを外部装置通信プロトコルスタックのＲＯＨＣ層エンティティに送信することと、
Ｓ３：外部装置通信プロトコルスタックのＲＯＨＣ層エンティティは、外部装置通信プロトコルスタックのＩＰ層エンティティのＩＰ  ＰＤＵとして、ＲＯＨＣ  ＳＤＵを外部装置通信プロトコルスタックのＩＰ層エンティティに送信することと、
Ｓ４：外部装置通信プロトコルスタックのＩＰ層エンティティは、ＬＴＥプロトコルスタックのＰＤＣＰ層エンティティのＰＤＣＰ  ＳＤＵとして、ＩＰ  ＰＤＵをＬＴＥプロトコルスタックのＰＤＣＰ層エンティティに送信することとなってもよい。
【００５２】
ＬＴＥプロトコルスタックを介してデータを受信するプロセスは、
Ｓ１：外部装置通信プロトコルスタックのＩＰ層エンティティは、外部装置通信プロトコルスタックのＩＰ層エンティティのＩＰ  ＰＤＵとして、ＬＴＥプロトコルスタックのＰＤＣＰ層エンティティによって送信されるＰＤＣＰ  ＳＤＵを受信することと、
Ｓ２：外部装置通信プロトコルスタックのＩＰ層エンティティは、外部装置通信プロトコルスタックのＲＯＨＣ層エンティティのＲＯＨＣ  ＳＤＵとして、外部装置通信プロトコルスタックのＲＯＨＣ層エンティティにＩＰ  ＰＤＵを送信することと、
Ｓ３：外部装置通信プロトコルスタックのＲＯＨＣ層エンティティは、外部装置通信プロトコルスタックのＭＡＣ層エンティティのＭＡＣ  ＳＤＵとして、ＲＯＨＣ  ＰＤＵを外部装置通信プロトコルスタックのＭＡＣ層エンティティに送信することとなってもよい。
【００５３】
本開示の特定の実施形態では、図７に示されるプロトコルスタックの下で、オプションで、上記のインターフェース情報は、
外部装置通信プロトコルのＲＯＨＣ  ＳＤＵ、またはＩＰ  ＰＤＵは、第１のネットワークプロトコルのＰＤＣＰ  ＳＤＵとしてデータ送受信に使用されることと、
外部装置通信プロトコルのデータ（たとえば、すべてのデータ）またはデータストリーム（たとえば、一部のデータ）に対応する第１のネットワークプロトコルのＤＲＢ識別子と、
外部装置通信プロトコルのデータ（たとえば、すべてのデータ）またはデータストリーム（たとえば、一部のデータ）に対応する第１のネットワークプロトコルのＥＰＳベアラ識別子と、
外部装置通信プロトコルのデータ（たとえば、すべてのデータ）またはデータストリーム（たとえば、一部のなデータ）に対応する第１のネットワークプロトコルのＰＤＣＰエンティティ識別子との少なくとも１つを含んでもよい。
【００５４】
ここで、第１のネットワークプロトコルは４Ｇ  ＬＴＥプロトコルとして理解されてよく、第１のネットワークプロトコルスタックは４Ｇ  ＬＴＥプロトコルスタックとして理解されてよい。図７に示すように、第１のネットワークプロトコルスタックには、ＰＤＣＰ層、ＲＬＣ層、ＭＡＣ層、およびＰＨＹ層が含まれてもよい。外部装置通信プロトコルスタックには、ＩＰ層、ＲＯＨＣ層、ＭＡＣ層、およびＰＨＹが含まれてもよい。  つまり、ＲＯＨＣ層はＩＰ層とＭＡＣ層の間に導入される。外部装置通信プロトコルスタックのＲＯＨＣ層エンティティは、第１のネットワークプロトコルスタックのＰＤＣＰ層エンティティとインタラクションを行い、つまり第１のネットワークプロトコルスタックのＰＤＣＰ層エンティティを介してデータを送受信する。
【００５５】
さらに、図６に示されるように、上記のステップ１０２は、
外部装置通信プロトコルスタックのＲＯＨＣ層エンティティは、第１のネットワークプロトコルスタックのＰＤＣＰ層エンティティのＰＤＣＰ  ＳＤＵとして、ＲＯＨＣ  ＳＤＵ或いはＩＰ  ＰＤＵを第１のネットワークプロトコルスタックのＰＤＣＰ層エンティティに送信することと、
および／または、外部装置通信プロトコルスタックのＲＯＨＣ層エンティティは、外部装置通信プロトコルスタックのＲＯＨＣ層エンティティのＲＯＨＣ  ＳＤＵとして第１のネットワークプロトコルスタックのＰＤＣＰ層エンティティによって送信されるＰＤＣＰ  ＳＤＵを受信することとを含くんでもよい。
【００５６】
このようにして、外部装置のＲＯＨＣ  ＰＤＵを第１のネットワークプロトコルスタックを介して送信することを実現できる。
【００５７】
たとえば、図７に示すように、第１のネットワークプロトコルスタックがＬＴＥプロトコルスタックである場合、ＬＴＥプロトコルスタックを介してデータを送信するプロセスは、
Ｓ１：外部装置通信プロトコルスタックのＰＨＹ層エンティティは、外部装置通信プロトコルスタックのＭＡＣ層エンティティのＭＡＣ  ＰＤＵとして、ＰＨＹ  ＳＤＵを外部装置通信プロトコルスタックのＭＡＣ層エンティティに送信することと、
Ｓ２：外部装置通信プロトコルスタックのＭＡＣ層エンティティは、外部装置通信プロトコルスタックのＲＯＨＣ層エンティティのＲＯＨＣ  ＰＤＵとして、ＭＡＣ  ＳＤＵを外部装置通信プロトコルスタックのＲＯＨＣ層エンティティに送信することと、
Ｓ３：外部装置通信プロトコルスタックのＲＯＨＣ層エンティティは、ＬＴＥプロトコルスタックのＰＤＣＰ層エンティティのＰＤＣＰ  ＳＤＵとして、ＲＯＨＣ  ＳＤＵ或いはＩＰ  ＰＤＵをＬＴＥプロトコルスタックのＰＤＣＰ層エンティティに送信することとなってもよい。
【００５８】
ＬＴＥプロトコルスタックを介してデータを受信するプロセスは、
Ｓ１：外部装置通信プロトコルスタックのＲＯＨＣ層エンティティは、外部装置通信プロトコルスタックのＲＯＨＣ層エンティティのＲＯＨＣ  ＳＤＵ或いはＩＰ  ＳＤＵとして、ＬＴＥプロトコルスタックのＰＤＣＰ層エンティティによって送信されるＰＤＣＰ  ＳＤＵを受信することと、
Ｓ２：外部装置通信プロトコルスタックのＲＯＨＣ層エンティティは、外部装置通信プロトコルスタックのＭＡＣ層エンティティのＭＡＣ  ＳＤＵとして、ＲＯＨＣ  ＰＤＵを外部装置通信プロトコルスタックのＭＡＣ層エンティティに送信することとなってもよい。
【００５９】
本開示の特定の実施形態では、図８に示されるプロトコルスタックの下で、オプションで、上記のインターフェース情報は、
外部装置通信プロトコルのＩＰ  ＰＤＵは、第２のネットワークプロトコルのＳＤＡＰ  ＳＤＵとして、データ送受信に使用されることと、
外部装置通信プロトコルのデータ（たとえば、すべてのデータ）またはデータストリーム（たとえば、一部のデータ）に対応する第２のネットワークプロトコルのＤＲＢ識別子と、
外部装置通信プロトコルのデータ（たとえば、すべてのデータ）またはデータストリーム（たとえば、一部のデータ）に対応する第２のネットワークプロトコルのＰＤＵセッション識別子と、
外部装置通信プロトコルのデータ（たとえば、すべてのデータ）またはデータストリーム（たとえば、一部のデータ）に対応する第２のネットワークプロトコルのＱｏＳストリーム識別子と、
外部装置通信プロトコルのデータ（たとえば、すべてのデータ）またはデータストリーム（たとえば、一部のデータ）に対応する第２のネットワークプロトコルのＳＤＡＰエンティティ識別子との少なくとも１つを含んでもよい。
【００６０】
ここで、第２のネットワークプロトコルは５Ｇ  ＮＲプロトコルとして理解されてよく、第２のネットワークプロトコルスタックは５Ｇ  ＮＲプロトコルスタックとして理解されてよい。図８に示すように、第２のネットワークプロトコルスタックには、ＳＤＡＰ層、ＰＤＣＰ層、ＲＬＣ層、ＭＡＣ層、およびＰＨＹ層が含まれてもよい。外部装置通信プロトコルスタックには、ＩＰ層、ＲＯＨＣ層、ＭＡＣ層、およびＰＨＹが含まれてもよい。  つまり、ＲＯＨＣ層はＩＰ層とＭＡＣ層の間に導入される。外部装置通信プロトコルスタックのＲＯＨＣ層エンティティは、第２のネットワークプロトコルスタックのＳＤＡＰ層エンティティとインタラクションを行い、つまり第２のネットワークプロトコルスタックのＳＤＡＰ層エンティティを介してデータを送受信する。
【００６１】
さらに、図８に示されるように、上記のステップ１０２は、
外部装置通信プロトコルスタックのＩＰ層エンティティは、第２のネットワークプロトコルスタックのＳＤＡＰ層エンティティのＳＤＡＰ  ＳＤＵとしてＩＰ  ＰＤＵを第２のネットワークプロトコルスタックのＳＤＡＰ層エンティティに送信することと、
および／または、外部装置通信プロトコルスタックのＩＰ層エンティティは、外部装置通信プロトコルスタックのＩＰ層エンティティのＩＰ  ＰＤＵとして第２のネットワークプロトコルスタックのＳＤＡＰ層エンティティによって送信されるＳＤＡＰ  ＳＤＵを受信することとを含くんでもよい。
【００６２】
このようにして、外部装置のＩＰ  ＰＤＵを第２のネットワークプロトコルスタックを介して送信することを実現できる。
【００６３】
たとえば、図８に示すように、第２のネットワークプロトコルスタックがＮＲプロトコルスタックである場合、ＮＲプロトコルスタックを介してデータを送信するプロセスは、
Ｓ１：外部装置通信プロトコルスタックのＰＨＹ層エンティティは、外部装置通信プロトコルスタックのＭＡＣ層エンティティのＭＡＣ  ＰＤＵとして、ＰＨＹ  ＳＤＵを外部装置通信プロトコルスタックのＭＡＣ層エンティティに送信することと、
Ｓ２：外部装置通信プロトコルスタックのＭＡＣ層エンティティは、外部装置通信プロトコルスタックのＲＯＨＣ層エンティティのＲＯＨＣ  ＰＤＵとして、ＭＡＣ  ＳＤＵを外部装置通信プロトコルスタックのＲＯＨＣ層エンティティに送信することと、
Ｓ３：外部装置通信プロトコルスタックのＲＯＨＣ層エンティティは、外部装置通信プロトコルスタックのＩＰ層エンティティのＩＰ  ＰＤＵとして、ＲＯＨＣ  ＳＤＵを外部装置通信プロトコルスタックのＩＰ層エンティティに送信することと、
Ｓ４：外部装置通信プロトコルスタックのＩＰ層エンティティは、ＮＲプロトコルスタックのＳＤＡＰ層エンティティのＳＤＡＰ  ＳＤＵとして、ＩＰ  ＰＤＵをＮＲプロトコルスタックのＳＤＡＰ層エンティティに送信することとなってもよい。
【００６４】
ＮＲプロトコルスタックを介してデータを受信するプロセスは、
Ｓ１：外部装置通信プロトコルスタックのＩＰ層エンティティは、外部装置通信プロトコルスタックのＩＰ層エンティティのＩＰ  ＰＤＵとして、ＮＲプロトコルスタックのＰＤＣＰ層エンティティによって送信されるＳＤＡＰ  ＳＤＵを受信することと、
Ｓ２：外部装置通信プロトコルスタックのＩＰ層エンティティは、外部装置通信プロトコルスタックのＲＯＨＣ層エンティティのＲＯＨＣ  ＳＤＵとして、外部装置通信プロトコルスタックのＲＯＨＣ層エンティティにＩＰ  ＰＤＵを送信することと、
Ｓ３：外部装置通信プロトコルスタックのＲＯＨＣ層エンティティは、外部装置通信プロトコルスタックのＭＡＣ層エンティティのＭＡＣ  ＳＤＵとして、ＲＯＨＣ  ＳＤＵを外部装置通信プロトコルスタックのＭＡＣ層エンティティに送信することとなってもよい。
【００６５】
本開示の特定の実施形態では、図９に示されるプロトコルスタックの下で、オプションで、上記のインターフェース情報は、
外部装置通信プロトコルのＲＯＨＣ  ＳＤＵ或いはＩＰ  ＰＤＵは、第２のネットワークプロトコルのＳＤＡＰ  ＳＤＵとして、データ送受信に使用されることと、
外部装置通信プロトコルのデータ（たとえば、すべてのデータ）またはデータストリーム（たとえば、一部のデータ）に対応する第２のネットワークプロトコルのＤＲＢ識別子と、
外部装置通信プロトコルのデータ（たとえば、すべてのデータ）またはデータストリーム（たとえば、一部のデータ）に対応する第２のネットワークプロトコルのＰＤＵセッション識別子と、
外部装置通信プロトコルのデータ（たとえば、すべてのデータ）またはデータストリーム（たとえば、一部のデータ）に対応する第２のネットワークプロトコルのＱｏＳストリーム識別子と、
外部装置通信プロトコルのデータ（たとえば、すべてのデータ）またはデータストリーム（たとえば、一部のデータ）に対応する第２のネットワークプロトコルのＳＤＡＰエンティティ識別子との少なくとも１つを含んでもよい。
【００６６】
ここで、第２のネットワークプロトコルは５ＧＮＲプロトコルとして理解されてよく、第２のネットワークプロトコルスタックは５ＧＮＲプロトコルスタックとして理解されてよい。図９に示すように、第２のネットワークプロトコルスタックには、ＳＤＡＰ層、ＰＤＣＰ層、ＲＬＣ層、ＭＡＣ層、およびＰＨＹ層が含まれてもよい。外部装置通信プロトコルスタックには、ＩＰ層、ＲＯＨＣ層、ＭＡＣ層、およびＰＨＹが含まれてもよい。  つまり、ＲＯＨＣ層はＩＰ層とＭＡＣ層の間に導入される。外部装置通信プロトコルスタックのＲＯＨＣ層エンティティは、第２のネットワークプロトコルスタックのＳＤＡＰ層エンティティとインタラクションを行い、つまり第１のネットワークプロトコルスタックのＳＤＡＰ層エンティティを介してデータを送受信する。
【００６７】
さらに、図９に示されるように、上記のステップ１０２は、
外部装置通信プロトコルスタックのＲＯＨＣ層エンティティは、第２のネットワークプロトコルスタックのＳＤＡＰ層エンティティのＳＤＡＰ  ＳＤＵとして、ＲＯＨＣ  ＳＤＵ或いはＩＰ  ＰＤＵを第２のネットワークプロトコルスタックのＳＤＡＰ層エンティティに送信することと、
および／または、外部装置通信プロトコルスタックのＲＯＨＣ層エンティティは、外部装置通信プロトコルスタックのＲＯＨＣ層エンティティのＲＯＨＣ  ＳＤＵ或いはＩＰ  ＰＤＵとして第２のネットワークプロトコルスタックのＳＤＡＰ層エンティティによって送信されるＳＤＡＰ  ＳＤＵを受信することとを含くんでもよい。
【００６８】
このようにして、外部装置のＲＯＨＣ  ＳＤＵを第２のネットワークプロトコルスタックを介して送信することを実現できる。
たとえば、図９に示すように、第２のネットワークプロトコルスタックがＮＲプロトコルスタックである場合、ＮＲプロトコルスタックを介してデータを送信するプロセスは、
外部装置通信プロトコルスタックのＲＯＨＣ層エンティティは、ＮＲプロトコルスタックのＳＤＡＰ層エンティティのＳＤＡＰ  ＳＤＵとして、ＲＯＨＣ  ＳＤＵ或いはＩＰ  ＰＤＵをＮＲプロトコルスタックのＳＤＡＰ層エンティティに送信することとなってもよい。
【００６９】
ＮＲプロトコルスタックを介してデータを受信するプロセスは、
外部装置通信プロトコルスタックのＲＯＨＣ層エンティティは、外部装置通信プロトコルスタックのＲＯＨＣ層エンティティのＲＯＨＣ  ＳＤＵ或いはＩＰ  ＰＤＵとして、ＮＲプロトコルスタックのＳＤＡＰ層エンティティによって送信されるＳＤＡＰ  ＳＤＵを受信することとなってもよい。
【００７０】
上記の実施形態は、本開示のデータ伝送方法を説明し、本開示の端末装置は、実施形態を添付の図面と併せて以下に説明される。
【００７１】
図１０に示されるように、本開示の実施形態は、端末装置１１０を提供し、当該端末装置は、
外部装置通信プロトコルと３ＧＰＰネットワークプロトコルとのインターフェース情報を取得する取得モジュール１１１と、
前記端末装置の３ＧＰＰネットワークのエアインターフェースプロトコルスタックに対応するプロトコルエンティティである第２のプロトコルエンティティ１１２と、
前記端末装置の外部装置通信プロトコルスタックに対応するプロトコルエンティティであり、前記インターフェース情報に従って前記第２のプロトコルエンティティを介してデータを送受信する第１のプロトコルエンティティ１１３とを備える。
【００７２】
本開示の実施形態では、取得された外部装置通信プロトコルと３ＧＰＰネットワークプロトコルとのインターフェース情報に従って、端末装置の外部装置通信プロトコルスタックの第１のプロトコルエンティティは、３ＧＰＰネットワークのエアインターフェースプロトコルスタックの第２のプロトコルエンティティを介してデータを送受信することで、外部装置通信プロトコルスタックと３ＧＰＰネットワークのエアインターフェースプロトコルスタックとの間のインタラクションを実現できるので、ＷｉＦｉ、ブルートゥース、或いは有線ＬＡＮなどのネットワークノードが端末装置の３ＧＰＰネットワークを介して他のネットワークノードと通信するとき、データ伝送の需要を満足させ、関連する通信サービスの円滑な進行を確保することができる。
【００７３】
本開示の実施形態では、オプションで、上記の外部装置通信プロトコルは、
ＷｉＦｉ通信プロトコルと、
ブルートゥースプロトコルと、
有線ＬＡＮ通信プロトコルとのいずれか一項を含んでもよい。
【００７４】
オプションで、前記インターフェース情報は、
外部装置通信プロトコルのＭＡＣ  ＰＤＵは、第１のネットワークプロトコルのＰＤＣＰ  ＳＤＵとして、データ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、
外部装置通信プロトコルのデータまたはデータストリームに対応する第１のネットワークプロトコルのＰＤＣＰエンティティ識別子との少なくとも１つを含む。
【００７５】
さらに、前記第１のプロトコルエンティティ１１３は、外部装置通信プロトコルスタックのＭＡＣ層エンティティであり、前記第２のプロトコルエンティティ１１２は、第１のネットワークプロトコルスタックのＰＤＣＰ層エンティティであり、前記第１のプロトコルエンティティ１１３は、
ＭＡＣ  ＰＤＵを第１のネットワークプロトコルスタックのＰＤＣＰ層エンティティに送信するためであり、
および／または、第１のネットワークプロトコルスタックのＰＤＣＰ層エンティティによって送信されるＰＤＣＰ  ＳＤＵを受信するためであってもよい。
【００７６】
オプションで、前記インターフェース情報は、
外部装置通信プロトコルのＰＨＹ  ＳＤＵ、またはＭＡＣ  ＰＤＵは、第１のネットワークプロトコルのＰＤＣＰ  ＳＤＵとしてデータ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、
外部装置通信プロトコルのデータまたはデータストリームに対応する第１のネットワークプロトコルのＰＤＣＰエンティティ識別子との少なくとも１つを含む。
【００７７】
さらに、前記第１のプロトコルエンティティ１１３は、外部装置通信プロトコルスタックのＰＨＹ層エンティティであり、前記第２のプロトコルエンティティ１１２は、第１のネットワークプロトコルスタックのＰＤＣＰ層エンティティであり、前記第１のプロトコルエンティティ１１３は、
ＰＨＹ  ＳＤＵ或いはＭＡＣ  ＰＤＵを第１のネットワークプロトコルスタックのＰＤＣＰ層エンティティに送信するためであり、
および／または、第１のネットワークプロトコルスタックのＰＤＣＰ層エンティティによって送信されるＰＤＣＰ  ＳＤＵを受信するためであってもよい。
【００７８】
オプションで、前記インターフェース情報は、
外部装置通信プロトコルのＭＡＣ  ＰＤＵは、第２のネットワークプロトコルのＳＤＡＰ  ＳＤＵとして、データ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、
外部装置通信プロトコルのデータまたはデータストリームに対応する第２のネットワークプロトコルのＳＤＡＰエンティティ識別子との少なくとも１つを含む。
【００７９】
さらに、前記第１のプロトコルエンティティ１１３は、外部装置通信プロトコルスタックのＭＡＣ層エンティティであり、前記第２のプロトコルエンティティ１１２は、第２のネットワークプロトコルスタックのＳＤＡＰ層エンティティであり、前記第１のプロトコルエンティティ１１３は、
ＭＡＣ  ＰＤＵを第２のネットワークプロトコルスタックのＳＤＡＰ層エンティティに送信するためであり、
および／または、第２のネットワークプロトコルスタックのＳＤＡＰ層エンティティによって送信されるＳＤＡＰ  ＳＤＵを受信するためであってもよい。
【００８０】
オプションで、前記インターフェース情報は、
外部装置通信プロトコルのＰＨＹ  ＳＤＵ、またはＭＡＣ  ＰＤＵは、第２のネットワークプロトコルのＳＤＡＰ  ＳＤＵとしてデータ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、
外部装置通信プロトコルのデータまたはデータストリームに対応する第２のネットワークプロトコルのＳＤＡＰエンティティ識別子と、
さらに、前記第１のプロトコルエンティティ１１３は、外部装置通信プロトコルスタックのＰＨＹ層エンティティであり、前記第２のプロトコルエンティティ１１２は、第２のネットワークプロトコルスタックのＳＤＡＰ層エンティティであり、前記第１のプロトコルエンティティ１１３は、
ＰＨＹ  ＳＤＵ或いはＭＡＣ  ＰＤＵを第２のネットワークプロトコルスタックのＳＤＡＰ層エンティティに送信するためであり、
および／または、第２のネットワークプロトコルスタックのＳＤＡＰ層エンティティによって送信されるＳＤＡＰ  ＳＤＵを受信するためであってもよい。
【００８１】
オプションで、前記インターフェース情報は、
外部装置通信プロトコルのＩＰ  ＰＤＵは、第１のネットワークプロトコルのＰＤＣＰ  ＳＤＵとして、データ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、
外部装置通信プロトコルのデータまたはデータストリームに対応する第１のネットワークプロトコルのＰＤＣＰエンティティ識別子との少なくとも１つを含む。
【００８２】
さらに、前記第１のプロトコルエンティティ１１３は、外部装置通信プロトコルスタックのＩＰ層エンティティであり、前記第２のプロトコルエンティティ１１２は、第１のネットワークプロトコルスタックのＰＤＣＰ層エンティティであり、前記第１のプロトコルエンティティ１１３は、
ＩＰ  ＰＤＵを第１のネットワークプロトコルスタックのＰＤＣＰ層エンティティに送信するためであり、
および／または、第１のネットワークプロトコルスタックのＰＤＣＰ層エンティティによって送信されるＰＤＣＰ  ＳＤＵを受信するためであってもよい。
【００８３】
オプションで、前記インターフェース情報は、
外部装置通信プロトコルのＲＯＨＣ  ＳＤＵ、またはＩＰ  ＰＤＵは、第１のネットワークプロトコルのＰＤＣＰ  ＳＤＵとしてデータ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、
外部装置通信プロトコルのデータまたはデータストリームに対応する第１のネットワークプロトコルのＰＤＣＰエンティティ識別子との少なくとも１つを含む。
【００８４】
さらに、前記第１のプロトコルエンティティ１１３は、外部装置通信プロトコルスタックのＲＯＨＣ層エンティティであり、前記第２のプロトコルエンティティ１１２は、第１のネットワークプロトコルスタックのＰＤＣＰ層エンティティであり、前記第１のプロトコルエンティティ１１３は、
ＲＯＨＣ  ＳＤＵ或いはＩＰ  ＰＤＵを第１のネットワークプロトコルスタックのＰＤＣＰ層エンティティに送信するためであり、
および／または、第１のネットワークプロトコルスタックのＰＤＣＰ層エンティティによって送信されるＰＤＣＰ  ＳＤＵを受信するためであってもよい。
【００８５】
オプションで、前記インターフェース情報は、
外部装置通信プロトコルのＩＰ  ＰＤＵは、第２のネットワークプロトコルのＳＤＡＰ  ＳＤＵとして、データ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、
外部装置通信プロトコルのデータまたはデータストリームに対応する第２のネットワークプロトコルのＳＤＡＰエンティティ識別子と、
さらに、前記第１のプロトコルエンティティ１１３は、外部装置通信プロトコルスタックのＩＰ層エンティティであり、前記第２のプロトコルエンティティ１１２は、第２のネットワークプロトコルスタックのＳＤＡＰ層エンティティであり、前記第１のプロトコルエンティティ１１３は、
ＩＰ  ＰＤＵを第２のネットワークプロトコルスタックのＳＤＡＰ層エンティティに送信するためであり、
および／または、第２のネットワークプロトコルスタックのＳＤＡＰ層エンティティによって送信されるＳＤＡＰ  ＳＤＵを受信するためであってもよい。
【００８６】
オプションで、前記インターフェース情報は、
外部装置通信プロトコルのＲＯＨＣ  ＳＤＵ、またはＩＰ  ＰＤＵは、第２のネットワークプロトコルのＳＤＡＰ  ＳＤＵとしてデータ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、
外部装置通信プロトコルのデータまたはデータストリームに対応する第２のネットワークプロトコルのＳＤＡＰエンティティ識別子と、
さらに、前記第１のプロトコルエンティティ１１３は、外部装置通信プロトコルスタックのＲＯＨＣ層エンティティであり、前記第２のプロトコルエンティティ１１２は、第２のネットワークプロトコルスタックのＳＤＡＰ層エンティティであり、前記第１のプロトコルエンティティ１１３は、
ＲＯＨＣ  ＳＤＵ或いはＩＰ  ＰＤＵを第２のネットワークプロトコルスタックのＳＤＡＰ層エンティティに送信するためであり、および／または
第２のネットワークプロトコルスタックのＳＤＡＰ層エンティティによって送信されるＳＤＡＰ  ＳＤＵを受信するためであってもよい。
【００８７】
本開示の実施形態は、プロセッサ、メモリ、およびメモリに格納され、前記プロセッサで実行されるコンピュータプログラムを備える端末装置をさらに提供する。前記コンピュータプログラムが前記プロセッサによって実行されるとき、上記のデータ伝送方法の実施形態の各プロセスが実施され、同じ技術的効果を達成することができる。繰り返しを回避するために、ここでは詳しく説明しない。
【００８８】
具体的に、図１１は、本開示の各実施形態を実施する端末装置のハードウェア構造図である。端末装置１１００は、無線周波数ユニット１１０１、ネットワークモジュール１１０２、オーディオ出力ユニット１１０３、入力ユニット１１０４、センサ１１０５、表示ユニット１１０６、ユーザ入力ユニット１１０７、インターフェースユニット１１０８、メモリ１１０９、プロセッサ１１１０、および電源１１１１などのコンポネントを備えるが、これらに限定されない。当業者は、図１１に示される端末装置の構造が端末装置に対する制限を構成せず、端末装置が図に示されるよりも多いまたは少ないコンポネント、または特定のコンポネントの組み合わせ、または異なるコンポネントの配置を備えてもよいことを理解することができる。本開示の実施形態では、端末装置には、携帯電話、タブレットコンピュータ、ノートブックコンピュータ、パームトップコンピュータ、車載端末、ウェアラブルデバイス、および歩数計が含まれるが、これらに限定されない。
【００８９】
本開示の実施形態において、端末装置１１００は、外部装置通信プロトコルスタックおよび３ＧＰＰネットワークのエアインターフェースプロトコルスタックをさらに含んでもよく、端末装置１１００と外部装置部との間の通信は、外部装置通信プロトコルによって実現される。
【００９０】
ここ、プロセッサ１１１０は、外部装置通信プロトコルと３ＧＰＰネットワークプロトコルとのインターフェース情報を取得し、前記インターフェース情報に従って、外部装置通信プロトコルスタックの第１のプロトコルエンティティが、３ＧＰＰネットワークのエアインターフェースプロトコルスタックの第２のプロトコルエンティティを介してデータを送受信することを制御するように構成される。
【００９１】
本開示の実施形態による端末装置１１００は、外部装置通信プロトコルスタックと３ＧＰＰネットワークのエアインターフェースプロトコルスタックとの間のインタラクションを実現できるので、ＷｉＦｉ、ブルートゥース、或いは有線ＬＡＮなどのネットワークノードが端末装置の３ＧＰＰネットワークを介して他のネットワークノードと通信するとき、データ伝送の需要を満足させ、関連する通信サービスの円滑な進行を確保することができる。
【００９２】
本開示の実施形態では、無線周波数ユニット１１０１は、情報の送受信または通話中で、信号を送受信するように構成されることを理解されたい。具体的には、基地局からの下りデータを受信した後、プロセッサ１１１０に渡して処理し、また、上りデータを基地局に送信する。一般に、無線周波数ユニット１１０１は、アンテナ、少なくとも１つの増幅器、トランシーバ、カプラ、低ノイズ増幅器、デュプレクサなどを備えるが、これらに限定されない。さらに、無線周波数ユニット１１０１はまた、無線通信システムを介してネットワークおよび他の装置と通信することができる。
【００９３】
端末装置は、ユーザが電子メールを送受信したり、Ｗｅｂページを閲覧したり、ストリーミングメディアにアクセスしたりするのを支援するなど、ネットワークモジュール１１０２を介してワイヤレスのブロードバンドインターネットアクセスをユーザに提供する。
【００９４】
オーディオ出力ユニット１１０３は、無線周波数ユニット１１０１またはネットワークモジュール１１０２によって受信された、またはメモリ１１０９に格納されたオーディオデータをオーディオ信号に変換し、音声として出力することができる。さらに、オーディオ出力ユニット１１０３はまた、端末装置１１００によって実行される特定の機能（例えば、呼信号の受信音、メッセージ受信音など）に関連するオーディオ出力を提供することができる。オーディオ出力ユニット１１０３は、スピーカ、ブザー、レシーバーなどを備える。
【００９５】
入力ユニット１１０４は、オーディオまたはビデオ信号を受信するように構成される。入力ユニット１１０４は、グラフィックプロセッサ（Ｇｒａｐｈｉｃｓ  Ｐｒｏｃｅｓｓｉｎｇ  Ｕｎｉｔ、ＧＰＵ）１１０４１およびマイク１１０４２を備えてもよい。グラフィックプロセッサ１１０４１は、ビデオキャプチャモードまたは画像キャプチャモードで画像キャプチャ装置（カメラなど）によって取得される静止画像またはビデオの画像データを処理する。処理された画像フレームは、表示ユニット１１０６上に表示することができる。グラフィックプロセッサ１１０４１によって処理された画像フレームは、メモリ１１０９（または他の記憶媒体）に格納されてもよいか、または無線周波数ユニット１１０１或いはネットワークモジュール１１０２を介して送信されてもよい。マイク１１０４２は音声を受信でき、そのような音声をオーディオデータに処理できる。処理されたオーディオデータは、電話の通話モードで、無線周波数ユニット１１０１を介して移動通信基地局に送信できるフォーマットに変換して出力することができる。
【００９６】
端末装置１１００は、光センサ、運動センサ、および他のセンサなどの少なくとも１つのセンサ１１０５をさらに備える。具体的には、光センサは、周囲光センサと近接センサとを含み、ここ、周囲光センサは、周囲光の輝度に応じて表示パネル１１０６１の輝度を調整することができ、近接センサは、端末装置１１００が耳の近傍に移動されると、表示パネル１１０６１および  ／またはバックライト表示パネル１１０６１をオフすることができる。加速度センサは、モーションセンサの一種として、さまざまな方向（通常は３軸）の加速度の大きさを検出し、静止時の重力の大きさと方向を検出することができるので、端末の姿勢（水平および垂直の画面切り替え、関連ゲーム  、磁気計姿勢校正など）の識別、振動識別関連機能（歩数計、タップなど）などに使用されてもよい。センサ１１０５には、指紋センサ、圧力センサ、虹彩センサ、分子センサ、ジャイロスコープ、気圧計、湿度計、温度計、赤外線センサなどを含んでもよいが、ここでは繰り返さない。
【００９７】
表示ユニット１１０６は、ユーザによって入力される情報またはユーザに提供される情報を表示するように構成される。表示ユニット１１０６は、表示パネル１１０６１を備えてもよい。表示パネル１１０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で構成されてもよい。
【００９８】
ユーザ入力ユニット１１０７は、入力される数値または文字情報を受信したり、端末のユーザ設定および機能制御に関連するキー信号入力を生成したりするように構成される。具体的には、ユーザ入力ユニット１１０７は、タッチパネル１１０７１および他の入力装置１１０７２を含む。タッチパネル１１０７１は、タッチスクリーンとも呼ばれ、タッチパネル１１０７１またはその近くでのユーザのタッチ操作（たとえば、ユーザは指やスタイラスペンなどの適切なオブジェクトやアクセサリを使用してタッチパネル１１０７１またはタッチパネル１１０７１の近くでの操作）を収集できる。タッチパネル１１０７１は、タッチ検出装置およびタッチコントローラの２つの部分を含んでもよい。ここ、タッチ検出装置は、ユーザのタッチ方向および位置を検出し、タッチ操作によってもたらされる信号を検出し、その信号をタッチコントローラに送信する。タッチコントローラは、タッチ検出装置からタッチ情報を受信し、それをタッチポイントの座標に変換してプロセッサ１１１０に送信し、プロセッサ１１１０によって送信される命令を受信して実行する。さらに、タッチパネル１１０７１は、抵抗式、容量式、赤外線、表面音響波などの複数のタイプで実装できる。タッチパネル１１０７１に加えて、ユーザ入力ユニット１１０７はまた、他の入力装置１１０７２を備えてもよい。具体的に、他の入力装置１１０７２には、物理的なキーボード、機能キー（音量調節ボタン、スイッチボタンなど）、トラックボール、マウス、およびジョイスティックが含まれてもよいが、これらに限定されない。ここでは繰り返されない。
【００９９】
さらに、タッチパネル１１０７１は、表示パネル１１０６１を覆ってもよい。タッチパネル１１０７１は、その上または近くでのタッチ操作を検出すると、タッチイベントのタイプを決定するように、それをプロセッサ１１１０に送信する。その後、プロセッサ１１１０はタッチイベントのタイプに従い、対応する視覚的出力を表示パネル１１０６１に提供する。図１１では、タッチパネル１１０７１および表示パネル１１０６１は、２つの独立したコンポネントとして端末の入力および出力機能を実装するが、いくつかの実施形態では、タッチパネル１１０７１および表示パネル１１０６１を集積して端末の入力および出力機能を実装してもよく、ここでは特に限定されない。
【０１００】
インターフェースユニット１１０８は、外部装置が端末装置１１００と接続するためのインターフェースである。たとえば、外部装置には、有線または無線のヘッドセットポート、外部電源（またはバッテリー充電器）ポート、有線または無線のデータポート、メモリカードポート、識別モジュールを備える装置に接続するためのポート、オーディオ入力／出力（Ｉｎｐｕｔ／Ｏｕｔｐｕｔ、Ｉ／Ｏ）ポート、ビデオＩ／Ｏポート、イヤフォンポートなど含んでもよい。インターフェースユニット１１０８は、外部装置からの入力（例えば、データ情報、電力など）を受信し、受信した入力を端末装置１１００の１つまたは複数の部品に伝送する、または端末装置１１００および外部装置の間でデータを伝送するように構成される。
【０１０１】
メモリ１１０９は、ソフトウェアプログラムおよび様々なデータを格納するように構成されてもよい。メモリ１１０９は、主に、プログラム記憶領域およびデータ記憶領域を含んでもよい。ここ、プログラム記憶領域は、オペレーティングシステム、少なくとも１つの機能（音声再生機能、画像再生機能など）のためのアプリケーションプログラムなどを格納してもよいが、データ記憶領域は、携帯電話の使用により作成されるデータ（オーディオデータ、電話帳など）などを格納してもよい。さらに、メモリ１１０９は、高速ランダムアクセスメモリを含んでもよく、また、少なくとも１つの磁気ディスクストレージデバイス、フラッシュメモリデバイスなどの非揮発性メモリ、または他の揮発性固体ストレージデバイスを含んでもよい。
【０１０２】
プロセッサ１１１０は、端末装置の制御センターであり、様々なインターフェースおよび回線を使用し端末全体の様々な部分を接続し、メモリ１１０９に格納されたソフトウェアプログラムおよび／またはモジュールをランニングまたは実行し、並びにメモリ１１０９に格納されたデータを呼び出すことで、端末装置全体を監視するために、端末のさまざまな機能を実行し、データを処理する。プロセッサ１１１０は、１つまたは複数の処理ユニットを含んでもよい。オプションで、プロセッサ１１１０は、アプリケーションプロセッサとモデムプロセッサとを集積することができる。中には、アプリケーションプロセッサは、主にオペレーティングシステム、ユーザインターフェース、およびアプリケーションプログラムなどを扱い、モデムプロセッサは、主にワイヤレス通信を扱う。上記のモデムプロセッサは、プロセッサ１１１０に集積されない場合もあることが理解されたい。
【０１０３】
端末装置１１００はまた、様々なコンポネントに電力を供給するための電源１１１１（バッテリーなど）を備えてもよい。オプションで、電源１１１１は、電源管理システムを介してプロセッサ１１１０に論理的に接続されてよいので、電源管理システムを介して充電、放電、および電力消費管理などの機能を実現する。
【０１０４】
さらに、ここでは繰り返されないが、端末装置１１００は、示されていないいくつかの機能モジュールを備えてもよい。
【０１０５】
本開示の実施形態はまた、コンピュータプログラムが格納されるコンピュータ可読記憶媒体を提供する。当該コンピュータプログラムがプロセッサによって実行されるとき、上記のデータ伝送方法の実施形態の各プロセスが実現され、同じ技術的効果を達成することができる。繰り返しを避けるために、ここでは詳しく説明しない。ここ、当該コンピュータ可読記憶媒体は、例えば、読み取り専用メモリ（Ｒｅａｄ−Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、または光ディスクなどである。
【０１０６】
本明細書では、「含む」、「備える」、またはそれらの他の変形という用語は、非排他的な包含をカバーすることを意図しているため、一連の要素を含むプロセス、方法、物品、または装置は、それらの要素を含むだけではなく、また、明示的にリストされていない他の要素、またはプロセス、方法、物品、または装置に固有の要素も含まれることに留意されたい。これ以上の制限ない場合、「１つの．．．を含む」という文で限定される要素は、その要素を含むプロセス、方法、物品、または装置内の他の同一の要素の存在を除外しない。
【０１０７】
上記の実施形態の説明を通じて、当業者は、上記の実施形態の方法が、ソフトウェアに必要な汎用的なハードウェアプラットフォームを加えることによって実施できることを明確に理解することができる。もちろん、ハードウェアによっても実施できるが、多くの場合、前者の方が優れている実施形態である。このような理解に基づいて、本開示の技術案は、本質的に、または関連する技術に寄与する部分をソフトウェア製品の形で具体化することができ、当該コンピュータソフトウェア製品は、記憶媒体（ＲＯＭ／ＲＡＭ、磁気ディスク、光ディスクなど）に格納され、端末（携帯電話、コンピュータ、サーバー、エアコン、またはネットワーク装置などであってもよい）に、本開示の各実施形態に記載される方法を実行させるためのいくつかの命令を含む。
【０１０８】
当業者は、本明細書に開示される実施形態を参照して説明される各実例のユニットおよびアルゴリズムのステップが、電子ハードウェア、またはコンピュータソフトウェアと電子ハードウェアの組み合わせによって実現できることを理解される。これらの機能がハードウェアで実行されるかソフトウェアで実行されるかは、技術案の特定の応用と設計上の制約による。専門な技術者は、特定の応用ごとに異なる方法を使用して、説明された機能を実装することができるが、そのような実装は、本開示の範囲を超えていると見られるべきではない。
【０１０９】
当業者は、便宜上および説明の簡素化のために、上記に説明されたシステム、装置、およびユニットの特定の作業プロセスが、前述の方法の実施形態における対応するプロセスを参照できることを明確に理解するので、その詳細は、ここで説明しない。
【０１１０】
本開示で提供される実施形態では、開示される装置および方法は、他の方法で実施され得ることが理解されるべきである。例えば、上記の装置の実施形態は、単に例示的なものである。例えば、前記のユニットの分割は、論理機能の分割にすぎず、実際の実装では、他の分割方式があり得る。例え複数のユニット或いはコンポネントが別のシステムに組み合わせ或いは集積することも、一部の特徴を無視するか、実装しないこともできる。さらに、表示または説明された相互結合または直接結合または通信接続は、いくつかのインターフェース、装置、またはユニットを介した間接結合または通信接続であり得、電気的、機械的または他の形態であり得る。
【０１１１】
個別のコンポーネントとして説明されたユニットは、物理的に分離されている場合とされていない場合があり、ユニットとして表示されるコンポーネントは、物理ユニットである場合とそうでない場合がある。つまり、１つの場所に配置されている場合と、複数のネットワークユニットに分散されている場合がある。ユニットのいくつかまたはすべては、実施形態の案の目的を達成するための実際の需要に従って選択され得る。
【０１１２】
本開示の実施形態に記載される実施形態は、ハードウェア、ソフトウェア、ファームウェア、ミドルウェア、マイクロコード、またはそれらの組み合わせによって実装され得ることが理解され得る。ハードウェア実装の場合、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理装置（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコンピュータ、マイクロプロセッサ、および本開示に記載の機能を実行するためのその他電子ユニットまたはその組み合わせに実装できる。
【０１１３】
ソフトウェアの実装については、本開示の実施形態に記載される技術は、本開示の実施形態に記載される機能を実行するモジュール（例えば、プロセス、ファンクションなど）を介して実施され得る。ソフトウェアコードはメモリに保存され、プロセッサで実行されることができる。メモリは、プロセッサ内またはプロセッサの外部に実装できる。
【０１１４】
機能がソフトウェア機能ユニットの形で実装され、独立した製品として販売または使用される場合、コンピュータ可読記憶媒体に保存できる。このような理解に基づいて、本開示の技術案は、本質的に、または従来の技術に寄与する部分または当該技術案の部分はソフトウェア製品の形で具体化することができ、当該コンピュータソフトウェア製品は、記憶媒体に格納され、コンピュータ装置（パーソナルコンピュータ、サーバー、またはネットワーク装置などであってもよい）に、本開示の各実施形態に記載される方法を実行させるためのいくつかの命令を含む。前述の記憶媒体には、フラッシュディスク、モバイルハードディスク、ＲＯＭ、ＲＡＭ、磁気ディスクまたは光ディスク、およびプログラムコードを記憶できるその他の媒体が含まれる。
【０１１５】
当業者は、上記の実施形態の方法におけるプロセスの全部または一部が、コンピュータプログラムを介して関連するハードウェアを制御することによって実現できることを理解すべきである。前記プログラムは、コンピュータ可読記憶媒体に保存してもよく、当該プログラムが実行中、上記の方法の実施形態の手順を含み得る。ここで、前記記憶媒体は、磁気ディスク、光ディスク、ＲＯＭまたはＲＡＭなどであり得る。
【０１１６】
本開示の実施形態は、添付の図面を参照して以上に記載されているが、本開示は、上記の特定の実施形態に限定されない。上記の特定の実施形態は、例示にすぎず、限定的ではない。当業者は、本開示の示唆の下で、本開示の旨および特許請求の範囲から逸脱することなく、多くの形態を作成することができ、これらはすべて本開示の請求の範囲内にある。
【符号の説明】
【０１１７】
１１０  端末装置
１１１  取得モジュール
１１２  第２のプロトコルエンティティ
１１３  第１のプロトコルエンティティ
１１００  端末装置
１１０１  無線周波数ユニット
１１０２  ネットワークモジュール
１１０３  オーディオ出力ユニット
１１０４  入力ユニット
１１０５  センサ
１１０６  表示ユニット
１１０７  ユーザ入力ユニット
１１０８  インターフェースユニット
１１０９  メモリ
１１１０  プロセッサ
１１１１  電源
１１０４１  グラフィックプロセッサ
１１０４２  マイク
１１０６１  表示パネル
１１０６１  バックライト表示パネル
１１０７１  タッチパネル
１１０７２  入力装置
【図１】
2022500958.tif 000003
【図２】
2022500958.tif 000004
【図３】
2022500958.tif 000005
【図４】
2022500958.tif 000006
【図５】
2022500958.tif 000007
【図６】
2022500958.tif 000008
【図７】
2022500958.tif 000009
【図８】
2022500958.tif 000010
【図９】
2022500958.tif 000011
【図１０】
2022500958.tif 000012
【図１１】
2022500958.tif 000013
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
端末装置のためのデータ伝送方法であって、
外部装置通信プロトコルと第３世代パートナーシッププロジェクト３ＧＰＰネットワークプロトコルとのインターフェース情報を取得することと、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することとを含む、ことを特徴とするデータ伝送方法。
【請求項２】
前記外部装置通信プロトコルは、
ワイヤレスフィデリティＷｉＦｉ通信プロトコルと、
ブルートゥースプロトコルと、
有線ＬＡＮ通信プロトコルとのいずれか一項を含む、ことを特徴とする請求項１に記載の方法。
【請求項３】
前記インターフェース情報は、
外部装置通信プロトコルの媒体アクセス制御ＭＡＣプロトコルデータユニットＰＤＵは、第１のネットワークプロトコルのパケットデータコンバージェンスプロトコルＰＤＣＰサービスデータユニットＳＤＵとして、データ送受信に使用されることと、
外部装置通信プロトコルのデータまたはデータストリームに対応する第１のネットワークプロトコルのデータラジオベアラＤＲＢ識別子と、
外部装置通信プロトコルのデータまたはデータストリームに対応する第１のネットワークプロトコルの進化型パッケージシステムＥＰＳベアラ識別子と、
外部装置通信プロトコルのデータまたはデータストリームに対応する第１のネットワークプロトコルのＰＤＣＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＭＡＣ層エンティティは、ＭＡＣ  ＰＤＵを第１のネットワークプロトコルスタックのＰＤＣＰ層エンティティに送信することと、および／または、
前記外部装置通信プロトコルスタックのＭＡＣ層エンティティは、第１のネットワークプロトコルスタックのＰＤＣＰ層エンティティによって送信されるＰＤＣＰ  ＳＤＵを受信することとを含む、ことを特徴とする請求項１または２に記載の方法。
【請求項４】
前記インターフェース情報は、
外部装置通信プロトコルの物理層ＰＨＹ  ＳＤＵ、またはＭＡＣ  ＰＤＵは、第１のネットワークプロトコルのＰＤＣＰ  ＳＤＵとしてデータ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、
外部装置通信プロトコルのデータまたはデータストリームに対応する第１のネットワークプロトコルのＰＤＣＰエンティティ識別子との少なくとも１つを含み、
前記インターフェース情報に従って、外部装置通信プロトコルスタックの第１のプロトコルエンティティは、３ＧＰＰネットワークプロトコルスタックの第２のプロトコルエンティティを介してデータを送受信することは、
前記外部装置通信プロトコルスタックのＰＨＹ層エンティティは、ＰＨＹ  ＳＤＵまたはＭＡＣ  ＰＤＵを第１のネットワークプロトコルスタックのＰＤＣＰ層エンティティに送信することと、および／または、
前記外部装置通信プロトコルスタックのＰＨＹ層エンティティは、第１のネットワークプロトコルスタックのＰＤＣＰ層エンティティによって送信されるＰＤＣＰ  ＳＤＵを受信することとを含む、ことを特徴とする請求項１または２に記載の方法。
【請求項５】
前記インターフェース情報は、
外部装置通信プロトコルのＭＡＣ  ＰＤＵは、第２のネットワークプロトコルのＳＤＡＰ  ＳＤＵとして、データ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのサービス品質ＱｏＳストリーム識別子と、
外部装置通信プロトコルのデータまたはデータストリームに対応する第２のネットワークプロトコルのＳＤＡＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＭＡＣ層エンティティは、ＭＡＣ  ＰＤＵを第２のネットワークプロトコルスタックのＳＤＡＰ層エンティティに送信することと、および／または、
前記外部装置通信プロトコルスタックのＭＡＣ層エンティティは、第２のネットワークプロトコルスタックのＳＤＡＰ層エンティティによって送信されるＳＤＡＰ  ＳＤＵを受信することとを含む、ことを特徴とする請求項１または２に記載の方法。
【請求項６】
前記インターフェース情報は、
外部装置通信プロトコルのＰＨＹ  ＳＤＵ、またはＭＡＣ  ＰＤＵは、第２のネットワークプロトコルのＳＤＡＰ  ＳＤＵとしてデータ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、外部装置通信プロトコルのデータまたはデータストリームに対応する第２のネットワークプロトコルのＳＤＡＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＰＨＹ層エンティティは、ＰＨＹ  ＳＤＵまたはＭＡＣ  ＰＤＵを第２のネットワークプロトコルスタックのＳＤＡＰ層エンティティに送信することと、および／または、
前記外部装置通信プロトコルスタックのＰＨＹ層エンティティは、第２のネットワークプロトコルスタックのＳＤＡＰ層エンティティによって送信されるＳＤＡＰ  ＳＤＵを受信することとを含む、ことを特徴とする請求項１または２に記載の方法。
【請求項７】
前記インターフェース情報は、
外部装置通信プロトコルのＩＰ  ＰＤＵは、第１のネットワークプロトコルのＰＤＣＰ  ＳＤＵとして、データ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、外部装置通信プロトコルのデータまたはデータストリームに対応する第１のネットワークプロトコルのＰＤＣＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＭＡＣ層エンティティは、ＭＡＣ  ＰＤＵを第１のネットワークプロトコルスタックのＰＤＣＰ層エンティティに送信することと、および／または、
前記外部装置通信プロトコルスタックのＩＰ層エンティティは、第１のネットワークプロトコルスタックのＰＤＣＰ層エンティティによって送信されるＰＤＣＰ  ＳＤＵを受信することとを含む、ことを特徴とする請求項１または２に記載の方法。
【請求項８】
前記インターフェース情報は、
外部装置通信プロトコルのヘッダ圧縮ＲＯＨＣ  ＳＤＵ、またはＩＰ  ＰＤＵは、第１のネットワークプロトコルのＰＤＣＰ  ＳＤＵとしてデータ送受信に使用されることと、
外部装置通信プロトコルのデータまたはデータストリームに対応する第１のネットワークプロトコルのＤＲＢ識別子と、
外部装置通信プロトコルのデータまたはデータストリームに対応する第１のネットワークプロトコルのＥＰＳベアラ識別子と、外部装置通信プロトコルのデータまたはデータストリームに対応する第１のネットワークプロトコルのＰＤＣＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＲＯＨＣ層エンティティは、ＲＯＨＣ  ＳＤＵまたはＩＰ  ＰＤＵを第１のネットワークプロトコルスタックのＰＤＣＰ層エンティティに送信することと、および／または、
前記外部装置通信プロトコルスタックのＲＯＨＣ層エンティティは、第１のネットワークプロトコルスタックのＰＤＣＰ層エンティティによって送信されるＰＤＣＰ  ＳＤＵを受信することとを含む、ことを特徴とする請求項１または２に記載の方法。
【請求項９】
前記インターフェース情報は、
外部装置通信プロトコルのＩＰ  ＰＤＵは、第２のネットワークプロトコルのＳＤＡＰ  ＳＤＵとして、データ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、外部装置通信プロトコルのデータまたはデータストリームに対応する第２のネットワークプロトコルのＳＤＡＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＩＰ層エンティティは、ＩＰ  ＰＤＵを第２のネットワークプロトコルスタックのＳＤＡＰ層エンティティに送信することと、および／または、
前記外部装置通信プロトコルスタックのＩＰ層エンティティは、第２のネットワークプロトコルスタックのＳＤＡＰ層エンティティによって送信されるＳＤＡＰ  ＳＤＵを受信することとを含む、ことを特徴とする請求項１または２に記載の方法。
【請求項１０】
前記インターフェース情報は、
外部装置通信プロトコルのＲＯＨＣ  ＳＤＵ、またはＩＰ  ＰＤＵは、第２のネットワークプロトコルのＳＤＡＰ  ＳＤＵとしてデータ送受信用に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのＱｏＳストリーム識別子と、
外部装置通信プロトコルのデータまたはデータストリームに対応する第２のネットワークプロトコルのＳＤＡＰエンティティ識別子との少なくとも１つを含み、
前記インターフェース情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＲＯＨＣ層エンティティは、ＲＯＨＣ  ＳＤＵまたはＩＰ  ＰＤＵを第２のネットワークプロトコルスタックのＳＤＡＰ層エンティティに送信することと、および／または、
前記外部装置通信プロトコルスタックのＲＯＨＣ層エンティティは、第２のネットワークプロトコルスタックのＳＤＡＰ層エンティティによって送信されるＳＤＡＰ  ＳＤＵを受信することとを含む、ことを特徴とする請求項１または２に記載の方法。
【請求項１１】
端末装置であって、
外部装置通信プロトコルと第３世代パートナーシッププロジェクト３ＧＰＰネットワークプロトコルとのインターフェース情報を取得するように構成される取得モジュールと、
前記端末装置の３ＧＰＰネットワークのエアインターフェースプロトコルスタックに対応するプロトコルエンティティである第２のプロトコルエンティティと、
前記端末装置の外部装置通信プロトコルスタックに対応するプロトコルエンティティであり、前記インターフェース情報に従って前記第２のプロトコルエンティティを介してデータを送受信するように構成される第１のプロトコルエンティティとを備える、ことを特徴とする端末装置。
【請求項１２】
前記外部装置通信プロトコルは、
ワイヤレスフィデリティＷｉＦｉ通信プロトコルと、
ブルートゥースプロトコルと、
有線ＬＡＮ通信プロトコルとのいずれか一項を含む、ことを特徴とする請求項１１に記載の端末装置。
【請求項１３】
前記インターフェース情報は、
外部装置通信プロトコルの媒体アクセス制御ＭＡＣプロトコルデータユニットＰＤＵは、第１のネットワークプロトコルのパケットデータコンバージェンスプロトコルＰＤＣＰサービスデータユニットＳＤＵとして、データ送受信に使用されることと、
外部装置通信プロトコルのデータまたはデータストリームに対応する第１のネットワークプロトコルのデータラジオベアラＤＲＢ識別子と、
外部装置通信プロトコルのデータまたはデータストリームに対応する第１のネットワークプロトコルの進化型パッケージシステムＥＰＳベアラ識別子と、
外部装置通信プロトコルのデータまたはデータストリームに対応する第１のネットワークプロトコルのＰＤＣＰエンティティ識別子との少なくとも１つを含み、
前記インターフェイス情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＭＡＣ層エンティティは、ＭＡＣ  ＰＤＵを第１のネットワークプロトコルスタックのＰＤＣＰ層エンティティに送信することと、および／または、
前記外部装置通信プロトコルスタックのＭＡＣ層エンティティは、第１のネットワークプロトコルスタックのＰＤＣＰ層エンティティによって送信されるＰＤＣＰ  ＳＤＵを受信することとを含む、ことを特徴とする請求項１１または１２に記載の端末装置。
【請求項１４】
前記インターフェース情報は、
外部装置通信プロトコルのＭＡＣ  ＰＤＵは、第２のネットワークプロトコルのＳＤＡＰ  ＳＤＵとして、データ送受信に使用されることと、
外部装置通信プロトコルのデータまたはデータストリームに対応する第２のネットワークプロトコルのＤＲＢ識別子と、
外部装置通信プロトコルのデータまたはデータストリームに対応する第２のネットワークプロトコルのＰＤＵセッション識別子と、
外部装置通信プロトコルのデータまたはデータストリームに対応する第２のネットワークプロトコルのサービス品質ＱｏＳストリーム識別子と、
外部装置通信プロトコルのデータまたはデータストリームに対応する第２のネットワークプロトコルのＳＤＡＰエンティティ識別子との少なくとも１つを含み、
前記インターフェイス情報に従って、外部装置通信プロトコルスタックの第１のプロトコルエンティティは、３ＧＰＰネットワークのエアインターフェースプロトコルスタックの第２のプロトコルエンティティを介してデータを送受信することは、
前記外部装置通信プロトコルスタックのＭＡＣ層エンティティは、ＭＡＣ  ＰＤＵを第２のネットワークプロトコルスタックのＳＤＡＰ層エンティティに送信することと、および／または、
前記外部装置通信プロトコルスタックのＭＡＣ層エンティティは、第２のネットワークプロトコルスタックのＳＤＡＰ層エンティティによって送信されるＳＤＡＰ  ＳＤＵを受信することとを含む、ことを特徴とする請求項１１または１２に記載の端末装置。
【請求項１５】
コンピュータプログラムが記憶されてあるコンピュータ可読記憶媒体であって、前記コンピュータプログラムはプロセッサによって実行されると、請求項１乃至１０のいずれか１項に記載のデータ伝送方法のステップを実施する、ことを特徴とするコンピュータ可読記憶媒体。
【手続補正２】
【補正対象書類名】明細書
【補正対象項目名】００６４
【補正方法】変更
【補正の内容】
【００６４】
ＮＲプロトコルスタックを介してデータを受信するプロセスは、
Ｓ１：外部装置通信プロトコルスタックのＩＰ層エンティティは、外部装置通信プロトコルスタックのＩＰ層エンティティのＩＰ  ＰＤＵとして、ＮＲプロトコルスタックのＳＤＡＰ層エンティティによって送信されるＳＤＡＰ  ＳＤＵを受信することと、
Ｓ２：外部装置通信プロトコルスタックのＩＰ層エンティティは、外部装置通信プロトコルスタックのＲＯＨＣ層エンティティのＲＯＨＣ  ＳＤＵとして、外部装置通信プロトコルスタックのＲＯＨＣ層エンティティにＩＰ  ＰＤＵを送信することと、
Ｓ３：外部装置通信プロトコルスタックのＲＯＨＣ層エンティティは、外部装置通信プロトコルスタックのＭＡＣ層エンティティのＭＡＣ  ＳＤＵとして、ＲＯＨＣ  ＳＤＵを外部装置通信プロトコルスタックのＭＡＣ層エンティティに送信することとなってもよい。
【国際調査報告】
2022500958.tif 000014
2022500958.tif 000015
2022500958.tif 000016
2022500958.tif 000017